(57)【特許請求の範囲】
【請求項１】
商用電源が接続された電源回路と、少なくとも火災感知器或いは火災感知器及びガス漏れ検知器を通じて住戸内を監視する装置とが設けられてなる本体部と、
少なくとも警報表示部、各種操作ボタンを有する操作部及び音響部が装着されてなる操作パネル部とで構成される住宅情報盤において、
前記本体部と前記操作パネル部とを分離して双方を電源線および制御線により接続し、かつ、前記操作パネル部を居室内に１個用のスイッチボックスを用いて取り付け、前記本体部を居室外に設けたことを特徴とする住宅情報盤。
【発明の詳細な説明】
【０００１】
【発明の属する技術分野】
本発明は、例えばＧＰ型３級受信機を備えた集合住宅の住宅情報盤の構造に関するものである。
【０００２】
【従来の技術】
この種の住戸情報盤１は、種々のタイプがあるが、例えば図３に示すように、玄関ドアの脇に設置されたドアホン２と、住戸の各部屋に応じて設置された熱又は煙感知器３と、台所に設置されたガス漏れ検知器４と、玄関ドアや窓などに設置された防犯センサ５とが接続されている。そして、住戸情報盤１の前面には、緊急時に操作するための非常押ボタン１ａと、警報表示部１ｂと、操作部１ｃと、音響部１ｄとが設けられている。前記の操作部１ｃには、防犯セット／解除ボタン、警報音停止／復旧ボタン、管理室呼出ボタン、集合玄関のロック解錠用の解錠ボタンなどが配設されている。また、商用電源が印加されており、商用電源の停電時には非常電源と切り替わって印加されるようになっている。
【０００３】
また、この住戸情報盤１は、図４の（ａ）（ｂ）に示すように露出型と埋込型とがあって、一般にリビングの壁に設置されている。露出型では電源用と制御用の２個用スイッチボックス６が用いられており、埋込型については取付寸法に適合する埋込ボックス７が使用されている。この露出型と埋込型の住戸情報盤１には、電源基板８と制御基板９が厚み方向に配置されている。
【０００４】
従来の住戸情報盤１は、例えば、来訪者からの呼出を受けたときはハンドセット１ｅを取り上げたときに通話可能にし、操作部１ｃの解錠ボタンを押したときは集合玄関のロックを解錠させ、感知器３や防犯センサ５などが作動したときは、警報表示部１ｂを通してその旨を表示すると共に音声にてその警報を通報すると共に、その警報をドアホン２から周囲に知らせ、かつ、警報を管理室側に伝達する。商用電源が停電したときは、非常電源装置（図示せず）の作動によって住戸情報盤１の機能が保持される。
【０００５】
【発明が解決しようとする課題】
この従来の住戸情報盤１は、前述したように電源基板８と制御基板９とが厚み方向に配置されているため、住戸情報盤１の奥行きが厚く形成されていて、特に露出型では違和感があった。また、ＧＰ型３級受信機としての機能の他に、集合玄関の来訪者との通話及びロック解錠機能、ドアホン２を通じての通話機能などを備えていると共に、商用電源を降圧して直流に変換する電源回路（図示せず）を備えているため、住戸情報盤１の正面の外形寸法が大きくなっていた。これは、露出型では２個用スイッチボックス６が必要となり、埋込型では住戸情報盤１のサイズよりも大きな埋込ボックス７が用いられているため、工事上での材料費が高価となり、据付工事に手間がかかって面倒であった。
【０００６】
本発明は、かかる課題を解決するためになされたもので、ＧＰ型３級受信機としての機能や各種機能を損なうことなく、外形寸法が小さく据付工事が容易な住戸情報盤を提供することを目的とする。
【０００７】
【課題を解決するための手段】
本発明に係る住宅情報盤は、商用電源が接続された電源回路と、少なくとも火災感知器或いは火災感知器及びガス漏れ検知器を通じて住戸内を監視する装置とが設けられてなる本体部と、少なくとも警報表示部、各種操作ボタンを有する操作部及び音響部が装着されてなる操作パネル部とで構成される住宅情報盤において、本体部と操作パネル部とを分離して双方を電源線および制御線により接続し、かつ、操作パネル部を居室内に１個用のスイッチボックスを用いて取り付け、本体部を居室外に設けたものである。
【００１０】
【発明の実施の形態】
図１は本発明の実施の形態を示す住宅情報盤の説明図、図２は実施の形態に係る住宅情報盤の操作パネル部の取り付けを示す側面図である。なお、図３及び図４で説明した従来例と同一及び相当部分には同じ符号を付し説明を省略する。
【００１１】
本実施の形態の住宅情報盤は、図１に示すように本体部１１と操作パネル部１２とでなっている。
本体部１１は、例えば、人目のふれない場所に設置された住戸分電盤に隣接して取り付けられ、住戸の各部屋に応じて設置された熱又は煙感知器３と、台所に設置されたガス漏れ検知器４と、玄関ドアや窓などに設置された防犯センサ５とを通じて住戸内を監視し、玄関ドアの脇に設置されたドアホン２からの呼出を受けたときはその旨を後述する操作パネル部１２に通知して通話可能にさせる。
【００１２】
また、感知器などが作動したときにはドアホン２を通じて周囲に警報を発すると共に、その旨を操作パネル部１２に通知し、かつ、その警報を管理室側に伝達し、操作パネル部１２に設けられた非常押ボタンがオンされたときは緊急事態が発生した旨をドアホン２から発すると共に管理室側に伝達し、管理室側からの呼出を受けたときはその旨を操作パネル部１２に通知して通話可能にさせるようになっている。
【００１３】
さらに、この本体部１１は、商用電源が接続された電源回路（図示せず）と、予備電源用のバッテリ１１ａとを備えている。このバッテリ１１ａは、操作パネル部１２と共に例えば１時間監視、１０分間動作可能な容量を有しており、商用電源停電時に切り替わるようになっている。
【００１４】
前述した操作パネル部１２は、リビングなど人目のふれる場所に設置され、電源線（ＤＣ２４Ｖ）１３及び制御線１４を介して本体部１１と接続されており、前面には、緊急時に操作するための非常押ボタン１ａと、警報表示部１ｂと、操作部１ｃと、ハンドセット１ｅとが設けられている。また、内部には、図示していないが、非常押ボタン１ａや操作部１ｃの回路、警報表示部１ｂの回路、音響部１ｄの回路、ハンドセット１ｅによる通信回路、これら回路を制御する制御部などを備え、これらは、図２に示すように制御基板９に実装されている。
【００１５】
前記制御部は、本体部１１による監視状態の結果を要求する信号を所定時間毎に出力し、この要求に応じて応答信号が制御線１４を通じて入力されたときは本体部１１との接続状態が正常と判断し、かつ、応答信号の情報に応じて処理する。例えば、その情報に異常がないときは所定時間後に前記要求信号を出力し、その情報が例えば「ガス漏れ」であったときは、警報表示部１ｂの回路を制御してその表示部１ｂに表示されたガス漏れの記号を点灯し、音響部１ｄからガス漏れの音声が発せられるようにその回路を制御する。また、そのガス漏れの情報をドアホン２から報知すると共に、同じ情報を管理室側に伝達する。前記要求信号を出力した際に応答信号が入力されなかったときは接続状態が不良と判断して、音響部１ｄから接続状態が不良である音声が発せられるようにその回路を制御する。
【００１６】
以上のように本実施の形態においては、住宅情報盤を、ＧＰ型３級受信機の機能を有する装置及び電源系の回路でなる本体部１１と、非常押しボタン１ａ、警報表示部１ｂ、操作部１ｃ及び音響部１ｄでなる操作パネル部１２とに分けたので、操作パネル部１２の正面の外形が小さく厚みが薄くなり、このため、リビングなど人目のふれる場所に設置しても違和感がなくなるという効果がある。
【００１７】
また、前述したように住宅情報盤を本体部１１と操作パネル部１２とに分けているので、図４に示すように２個用スイッチボックス６や特注の埋込ボックス７を用いることなく１個用スイッチボックス１５（図２参照）だけで取り付けと配線工事ができるようになる。
【００１８】
さらに、本体部１１に予備電源用のバッテリ１１ａを内蔵しているので、非常電源用の配線が不要な集合住宅の防災システムを提供できるという効果がある。
【００１９】
また、操作パネル部１２から本体部１１に所定時間毎に要求信号を出力して、本体部１１との接続状態と監視状態を判別するようにしたので、故障などがあっても容易に原因を判別することができ、修理が安価になるという効果がある。
【００２０】
なお、前記の実施の形態では、操作パネル部１２から所定時間毎に要求信号を出力して本体部１１の監視状態及び接続状態を監視するようにしたが、その要求信号を本体部１１側で監視するようにしてもよい。例えば、前記要求信号が所定時間経過しても入力されなかったときはブザー（図示せず）を鳴動させて、居住者に接続状態不良を知らせるようにする。
【００２１】
また、ハンドセット１ｅを備えた操作パネル部１２について説明したが、このハンドセット１ｅのない操作パネル部１２であってもよい。例えば、通話用の押ボタンを操作パネル部１２に設け、呼出を受けたときはその押ボタンをオンして通話できるようにする。また、呼出・通話機能のない住宅情報盤であってもよい。このように構成した場合、前述の操作パネル部１２と比べ外形が小さく厚みの薄い操作パネル部を提供できる。
【００２２】
さらに、来訪者との通話時にその様子を画像表示する液晶モニタを備えた操作パネル部であってもよい。例えば、警報表示部１ｂに代えて液晶モニタを設け、来訪者との通話時にはその液晶モニタに来訪者の画像を表示し、火災などが発生したときは火災を知らせる記号を液晶モニタ上に表示して居住者に知らせるようにする。
【００２３】
【発明の効果】
本発明によれば、住宅情報盤を、商用電源が接続された電源回路、及び少なくとも火災感知器或いは火災感知器とガス漏れ検知器を通じて住戸内を監視する装置が設けられてなる本体部と、少なくとも警報表示部、各種操作ボタンを有する操作部及び音響部が装着されてなる操作パネル部とに分けたので、操作パネル部の前面の外形が小さく厚みが薄くなり、このため、居室内に設置しても違和感がなくなり、また、据付工事や配線工事が容易になるという効果がある。
【図面の簡単な説明】
【図１】本発明の実施の形態を示す住宅情報盤の説明図である。
【図２】実施の形態に係る住宅情報盤の操作パネル部の取り付けを示す側面図である。
【図３】従来の住宅情報盤の説明図である。
【図４】従来の住宅情報盤の露出型と埋込型を示す側面図である。
【符号の説明】
１  住宅情報盤、１ａ  非常押ボタン、１ｂ  警報表示部、１ｃ  操作部、
１ｄ  音響部、１ｅ  ハンドセット、２  ドアホン、３  熱／煙感知器、４  ガス漏れ検知器、５  防犯センサ、６  ２個用スイッチボックス、７  埋込ボックス、８  電源基板、９  制御基板、１１  本体部、１２  操作パネル部、１３  電源線、１４  制御線、１５  １個用スイッチボックス。
【図１】
0003932528.tif 000002
【図２】
0003932528.tif 000003
【図３】
0003932528.tif 000004
【図４】
0003932528.tif 000005